(57)【要約】【課題】マフラーの形状を変更することで本体よりも外側に排出された時点での排気ガス温度を低減させる。【解決手段】シリンダに直接固定される略箱状のマフラー３０を有するエンジンにおいて、排気ガスが流入する流入口と排気ガスを排出する排出口を有するマフラーハウジング（３１、３２）を形成し、排出口の開口部を覆い排気ガスＥＸを前方に向けて排出させる着脱式の案内カバー５０を装着した。案内カバー５０はスパークアレスタ４８の固定をすると共に、複数の排気通路５１、５２を離間するように形成する。排気放出口５１ａ、５２ａの開口面は、隣接する排気放出口に近い側の開口縁が隣接しない側の開口縁よりも排気方向で後方側になるように斜めかつ上向きに形成される。排出された排気ガスＥＸはマフラーハウジングの上壁に沿って前方に離間しながら流れることにより効果的に拡散し、大気との混合が促進されることで排気ガス温度を低減できる。【選択図】図３
2017133490.tif 000002
【特許請求の範囲】
【請求項１】
排気ポートを有し燃焼室を形成するシリンダと、
前記シリンダに取り付けられるマフラーを有するエンジンであって、
前記マフラーは、
前記排気ポートに接続され排気ガスが流入する流入口と、前記排気ガスを外部に排出する排出口を有するマフラーハウジングと、
前記排出口の外側の周囲を覆い前記排気ガスを反シリンダ側に向けて前記マフラーハウジングの壁面に沿って排出させる排気放出口を有する案内カバーを備え、
前記案内カバーには前記排気放出口が複数設けられ、前記排気放出口の開口面は、隣接する前記排気放出口に近い側の開口縁が隣接しない側の開口縁よりも反シリンダ側に位置するように設けられることを特徴とするエンジン。
【請求項２】
前記案内カバーは、前記壁面と平行な平行面と、前記壁面と交差する方向に延びる側壁を有する排気通路を有し、
前記排気通路の排出方向と垂直な面の流路断面面積の合計よりも、前記排気放出口の面積の合計が大きいことを特徴とする請求項１に記載のエンジン。
【請求項３】
前記排気通路は、排出方向と直交する方向に所定の間隔を隔てて複数配置されることを特徴とする請求項２に記載のエンジン。
【請求項４】
複数の前記排気放出口の開口面の法線方向が、前記排気ガスの排出方向の下流側に行くにつれて離れるように前記排気放出口が形成されることを特徴とする請求項３に記載のエンジン。
【請求項５】
前記マフラーの前記壁面に対向して位置するカバー部材を有し、
前記壁面において前記カバー部材の内壁と前記壁面との距離は前記排気放出口から前記排気ガスの排出方向に向かって徐々に広くなるように構成したことを特徴とする請求項１から４のいずれか一項に記載のエンジン。
【請求項６】
前記排気放出口を、前記壁面における前記排気ガスの排出方向の上流側に片寄せして配置したことを特徴とする請求項５に記載のエンジン。
【請求項７】
前記排気ガスの排出方向に位置する前記壁面の端部が大きな曲率半径で緩やかに曲がるように設けられることによって、壁面に沿って流れた前記排気ガスの流れの一部を拡散させることを特徴とする請求項６に記載のエンジン。
【請求項８】
前記カバー部材の一部に、外気を取り込むための風窓を設けたことを特徴とする請求項５に記載のエンジン。
【請求項９】
前記排出口にはスパークアレスタが設けられ、
前記案内カバーは前記壁面との間に前記スパークアレスタを挟み込んで固定することを特徴とする請求項８に記載のエンジン。
【請求項１０】
前記マフラーハウジングの外側に前記排気ポートにネジ止めするための固定手段が設けられ、前記マフラーは前記固定手段を介して前記マフラーハウジングの外側において２本のネジにより前記シリンダにネジ止めされることを特徴とする請求項５から９のいずれか一項に記載のエンジン。
【請求項１１】
請求項１から１０のいずれか一項に記載の前記エンジンを用いて作業機器を駆動させることを特徴とするエンジン作業機。
【発明の詳細な説明】
【技術分野】
【０００１】
本発明は主に刈払機、送風機、チェンソーなどのエンジン作業機や、発電機などの動力源として用いられるエンジンに関し、特にハウジングの外部に排出される排気ガスの温度低減を実現することに関する。
【背景技術】
【０００２】
小型のエンジン作業機においては、作業者の近くにエンジンが位置し、マフラーから高温の排気ガスが排出されるため、作業者がマフラーに直接触れないようにマフラーの配置を工夫したり、マフラーカバーを設けたりする。また、マフラーカバーから外部に排出される時点での排気ガスの温度を低減させるためにも様々な試みがなされている。例えば特許文献１では冷却ファンによって生成された冷却風をマフラーの周囲に導いて、カバーの内部で排気ガスと冷却風を混合させることで排気ガス温度を低減させるようにしている。
【先行技術文献】
【特許文献】
【０００３】
【特許文献１】特開２０１３−２１３４１４号公報
【発明の概要】
【発明が解決しようとする課題】
【０００４】
特許文献１の技術では、排気ガスと冷却風を混合させているが、エンジン作業機がチェンソーのように小形軽量化が要求される場合には、冷却ファンによって生成された冷却風をマフラーの周囲に導くように構成することは、部品点数の増大、装置サイズの大型化となってしまう点から採用が難しい。また別の解決方法として、排気ガスの出口近傍に設けられるマフラーカバーとマフラーとの距離を大きくしてマフラーカバーの排気放出口付近の空間容積を十分確保すれば、マフラーカバーの外部に放出される時点の排気ガスの温度を低減できるが、この対策ではエンジン作業機の小形化が困難になる。
【０００５】
本発明は上記背景に鑑みてなされたもので、その目的はマフラーの形状を変更することで排気ガスを効果的に拡散させ、大気との混合を促進することで排気ガス温度を低減できるようにしたエンジン及びエンジン作業機を実現することにある。
本発明の他の目的は、排気通路を複数に分けて互いに離間する方向に排気ガスを導くことにより、排気通路の間から大気を取り込んで排気ガス温度を一層低減させるようにしたエンジン及びエンジン作業機を実現することにある。
本発明の他の目的は、マフラーに隣接するハウジング部分の形状を工夫して、排気ガスを適切な方向に誘導すると共に、開口部を設けて大気を効果的に取り込むことができるようにしたエンジン及びエンジン作業機を実現することにある。
【課題を解決するための手段】
【０００６】
本願において開示される発明のうち代表的なものの特徴を説明すれば次の通りである。
本発明の特徴によれば、排気ポートを有し燃焼室を形成するするシリンダと、シリンダに取り付けられるマフラーを有するエンジンであって、マフラーは、排気ポートに接続され排気ガスが流入する流入口と、排気ガスを外部に排出する排出口を有するマフラーハウジングと、排出口の外側の周囲を覆うとともに排気ガスを反シリンダ側に向けてマフラーハウジングの壁面に沿って排出させる排気放出口を有する案内カバーを備える。シリンダは外周部に複数の放熱フィンを有し、マフラーハウジングは、膨張室の外壁を構成する外側ハウジング及び内側ハウジングと、膨張室を内側ハウジング側の第一膨張室と外側ハウジング側の第二膨張室に区切る仕切板を有する略箱状であって、仕切板がシリンダ側の上側角部から対向する反シリンダ側の下側角部に向けてシリンダから離れるよう傾斜して設けられ、案内カバーはマフラーハウジングの外側ハウジングに設けられる。案内カバーには排気放出口が離間するように複数設けられ、排気放出口の開口面は、隣接する排気放出口に近い側の開口縁が隣接しない側の開口縁よりも反シリンダ側に位置するように設けられる。この構成により排気ガスを外側へと拡散し、大気との混合を促進することで排気ガス温度を低減できる。ここで、複数の排気放出口から壁面に沿って排出される排気ガスの向きは、壁面の外側法線方向から見た際に、マフラーの流れの下流側に行くにつれて互いに離間するように所定の角度を有するようにした。このように排気通路が複数に分かれてることにより、排気通路の間からも大気を取り込み、排気ガス温度を一層低減できる。
【０００７】
本発明の他の特徴によれば、案内カバーは、外側ハウジングの壁面（上面）と平行な平行面と、壁面と交差する方向に延びる側壁を有する排気通路を有し、排気通路の排出方向と垂直な面の流路断面面積の合計よりも、排気放出口の面積の合計が大きくなるようにした。このように排気出口が絞られることによる出力の低下を防ぐことができる。排気通路は、排気方向と直交する方向に所定の間隔を隔てて複数配置される。また、複数の排気放出口の開口面の法線方向が、排気ガスの排出方向に行くにつれて離れるように排気放出口が形成される。さらに、マフラーの外側ハウジングの壁面（上面）に対向して位置するメインハウジング又はマフラーカバー等のカバー部材を設けて、カバー部材の内壁とマフラーの外側ハウジングの壁面（上面）との距離が排気放出口から排気ガスの排出方向に向かって徐々に広くなるように構成した。このようにカバー部材の内側空間を排気方向に向かって徐々に広くなるように構成したので、効率良く排気ガスを拡散することができる。
【０００８】
本発明のさらに他の特徴によれば、排気放出口を壁面における排気ガスの排出方向の上流側、つまりシリンダ側に片寄せして配置した。また、排気ガスの排出方向に位置する壁面の端部が大きな曲率半径で緩やかに曲がるように構成して、壁面に沿って流れた排気ガスの流れの一部を拡散させるようにした。この構成により排気ガスの拡散を上下方向にも行うので、広い範囲で大気との混合を一層促進し、排気ガス温度を低減できる。さらに、メインハウジング等のカバー部材の一部に外気を取り込むための風窓を設けた。この構成により排気通路の間からの大気の取り込みをさらに促進し、排気ガス温度を一層低減できる。
【０００９】
本発明のさらに他の特徴によれば、排出口にはスパークアレスタが設けられ、案内カバーは壁面との間にスパークアレスタを挟み込んで固定するようにした。この構成により案内カバーをスパークアレスタの固定手段として用いることができる。また、マフラーハウジングの外側に排気ポートにネジ止めするための固定手段が設けられ、マフラーは固定手段を介してマフラーハウジングの外側において２本のネジによりシリンダにネジ止めされるように構成した。
【発明の効果】
【００１０】
本発明によれば、小形のマフラーでありながら複数の排気通路から排出された排気ガスを、マフラーの壁面に沿わせながら効果的に拡散させた状態でカバー部材（ハウジング）の外側の領域にまで導くので、マフラーを覆う合成樹脂製のカバー部分から外部に放出される時点での排気ガスの温度を十分低下させることができる。
【図面の簡単な説明】
【００１１】
【図１】本発明の実施例に係るチェンソー１の外観を示す斜視図である。
【図２】本発明の実施例に係るチェンソー１のシリンダ２１とマフラー３０の配置構造を示す部分断面図である。
【図３】図２のマフラー３０の斜視図である
【図４】図３のマフラー３０の案内カバー５０の上面図である。
【図５】図３のマフラー３０の案内カバー５０の側面図である。
【図６】実施例の変形例に係る案内カバー６０の上面図である。
【図７】第二の実施例に係るマフラー８０の斜視図である。
【図８】図７の案内カバー１００の上面図である。
【発明を実施するための形態】
【実施例１】
【００１２】
以下、本発明の実施例を図面に基づいて説明する。以下の図においてはエンジン作業機の例としてチェンソーを用いて説明し、同一の部分には同一の符号を付し、繰り返しの説明は省略する。また、本明細書においては、前後左右、上下の方向は図中に示す方向であるとして説明する。
【００１３】
図１は本発明の実施例に係るチェンソー１の外観を示す斜視図である。チェンソー１は、２サイクルのエンジン（後述）を用いて、ガイドバー１０の周囲で周回するソーチェン１１を駆動する。エンジンはメインハウジング２に収容され、ガイドバー１０はメインハウジング２の右側側面から前方側に延びるように配置される。メインハウジング２には作業者が把持するフロントハンドル８が固定され、後方側にはリヤハンドル３が設けられる。メインハウジング２はエンジンを収容するだけでなく、その周囲にガイドバー１０やハンドル類、カバー類、スパイクを取り付けるもので、チェンソー１の骨格部分である。フロントハンドル８の一方側の端部がメインハウジング２の右側へ、他方の端部が左側へとまたがるように固定される。リヤハンドル３には、図示しない気化器を操作してエンジンの出力を調整するスロットルレバー４ａと、スロットルレバー４ａのロックを解除するロックレバー４ｂが設けられる。フロントハンドル８の前方側にはブレーキハンドル（ハンドガード）９が設けられ、ブレーキハンドル９を前方側に倒すことにより、ソーチェン１１の回転を瞬時に止めることができる。メインハウジング２の上側は大きな開口部が設けられ、固定用ネジ７によって取外し可能なエアクリーナカバー６が装着される。
【００１４】
図示しないエンジンは、メインハウジング２の内部においてチェンソー１の前後方向と垂直な左右方向に延びるクランク軸（図示せず）が配置され、クランク軸の左側端部には冷却ファンとリコイルスタータ（共に図示せず）が設けられ、これらはレフトサイドカバー５によって覆われる。メインハウジング２の左側面後方側には、エンジンに供給される燃料タンク（図示せず）への燃料注入口１４が設けられる。図１では燃料注入口１４にキャップが設けられた状態を示している。レフトサイドカバー５にはリコイルスタータに接続されるスタータハンドル１３が設けられる。作業者がスタータハンドル１３を引くとエンジンが始動し、リヤハンドル３に設けられるスロットルレバー４ａを引くとエンジンの回転が上昇して、図示しない遠心クラッチが接続することによりエンジンの回転力が伝達されてソーチェン（図示せず）が回転する。
【００１５】
図２は本発明の実施例に係るチェンソー１のシリンダ２１とマフラー３０の配置構造を示す部分断面図（縦断面図）である。エンジン２０はクランク軸が左右方向に延びるように水平に配置され、その上方の円筒空間２１ｂにおいてピストン（図示を省略）が往復移動する。シリンダ２１の燃焼室付近の外側には複数の放熱フィン２１ａが形成され、前方側に排気ポート２２ｂが設けられ、後方側に吸気ポート２２ａが設けられる。シリンダ２１はクランクケースに取り付けられ、その中心軸が略上下方向に延びるように配置されるが、ここでは鉛直線に対してシリンダの中心線が後方側に所定の角度θ１を有するようにシリンダ２１が斜めに配置される。このように斜めに配置することによってシリンダ２１の上端位置２１ｃが僅かに下側に移動すると共にフロントハンドル８との距離が離れるので、本体の小形化が可能となり操作性も良くなる。また、メインハウジング２に取付けた際の排気ポート２２ｂの位置が上方に移動するので、メインハウジング２の底面近くに配置されるオイルタンク（図示せず）と排気ポート２２ｂまでの間隔を大きく取ることが可能となり、シリンダ２１の前方部分に効率よくマフラー３０を配置することが可能となる。シリンダ２１の上方側には図示しない点火プラグを取付けるためのプラグ孔２８が設けられる。
【００１６】
シリンダ２１の前方側（反シリンダ側）には、側面視で菱形に近い略箱形のマフラー３０が取り付けられる。マフラー３０は接続のための排気管を介さずに、排気ポート２２ｂに隣接するように配置され、２本のネジ（図示せず）によってシリンダ２１の排気ポート２２ｂの開口の左右両側に設けられるネジボス（図示せず）にネジ止めされる。本実施例では、排気ポート２２ｂ近傍以外の第３の箇所においても第３のネジたる取付ネジ１８によりシリンダ２１の取付ボス２３に固定される。このようにマフラー３０は排気ポート２２ｂ近傍の２カ所と、その他の位置の１カ所の計３箇所にてシリンダに固定される。尚、マフラー３０のシリンダ２１又はクランクケース側への固定箇所は、３カ所だけで無く４カ所又はそれ以上であっても良い。マフラー３０の後方側（シリンダ側）にはシリンダ２１への固定手段、ここでは金属の厚板状の取付部材４０が溶接される。取付部材４０とシリンダ２１との間にはガスケット４４が介在される。ガスケット４４は例えば黒鉛シートであり、マフラー３０とシリンダ２１の排気ポート２２ｂとの密着性を良くするために用いられるものであるが、ガスケット４４を省いても良い。
【００１７】
マフラー３０は、シリンダ２１に近い側の内側ハウジング３１と、シリンダ２１から遠い側の外側ハウジング３２のそれぞれの開口部を貝のように合わせて接合したものであって、外側に形成したリブ３２ａに対して内側ハウジング３１の外縁部３１ａを折り返すようにしてかしめて略箱状に形成した。その際、外側ハウジング３２のリブ３２ａと内側ハウジング３１の外縁部３１ａは仕切板３３の外縁部分を挟んで接合することにより、シリンダ２１の排気ポート２２ｂと連通する第一膨張室３４と、排気ガスを大気中に排出する排気ガス出口側となる第二膨張室３５が画定される。ここでは第一膨張室３４の開口（流入口）３１ｂが直接シリンダ２１に連結される。第一膨張室３４から第二膨張室３５の間には排気ガスを浄化するための触媒３６が設けられ、排気ガスＥＸは、仕切板３３の凹部３３ｂに配置された触媒３６を通過して第一膨張室３４から第二膨張室３５側に流れる。凹部３３ｂの触媒３６の出口面と対向する部分には、排気ガスが通過する複数の貫通穴（図示せず）が開けられている。仕切板３３は、例えば鉄板又はステンレス板のプレス加工にて製造できる。第二膨張室３５にて膨張した排気ガスＥＸは、第二膨張室３５の上側後方部分の絞り込まれた空間付近から排出口３２ｂを通過して案内カバー５０側に排出され、排気放出口５１ａを通って前方側に排出される。
【００１８】
マフラー３０の排気ガスＥＸの出口たる排気放出口５１ａ、５２ａ（５２ａは後述）は、排気ガスＥＸの流れがマフラー３０の上側の壁面に沿って前方側に向って上面視でハの字状に広がりながら流れるように構成される。排気ガスＥＸの上側部分はメインハウジング２の壁面によって覆われる。ここでは、マフラー３０の上壁が前方に行くにつれて水平からやや下向きに傾斜するのに対して、メインハウジング２の壁面が前方に行くにつれて上側に向けて大きく傾斜するようにして、排気ガスＥＸが下流側に流れるにつれて上下方向及び左右方向にうまく拡散するようにした。また、排気ガスＥＸが流れる部分の上側を覆うメインハウジング２には、外気を取込むための左右方向に延びるスリット状の空気取入口１７を複数形成してもよい。空気取入口１７はメインハウジング２のうち、マフラー３０の上側部分に相当する壁面を左右方向に延びるスリット状の開口を設け、その開口部分を側面視でＬ字状の覆いを設けるようにして外部から木屑等が入りにくく形成した風窓である。空気取入口１７を設ける数や、その形状は、排気ガスＥＸの流れによって外気が吸引されるという目的を達成して、且つ、外部から塵埃が入りにくいというならば任意に形成できる。尚、図１の斜視図においてはメインハウジング２に形成される空気取入口１７の図示を省略している。
【００１９】
排気ガスＥＸの流れによって空気取入口１７を介して吸引された外気は、排気ガスＥＸと撹拌されることにより排気ガスＥＸの温度を低下させる。また、空気取入口１７が形成されない場合であっても、エンジンのシリンダ側からメインハウジング内部へ外気が取り入れられるため、同様の効果を得ることができる。このようにマフラー３０のカバー部材となるメインハウジング２の上側先端部分２ａは、取付ネジ１８の上側付近から前に行くにつれて上方に隆起するようにして、マフラー３０との距離が広がるような形状としたことに加えて、空気取入口１７を形成して外気を取り込むようにしたので、マフラー３０を収容するハウジング空間の前縁部分（二点鎖線１９）より外側（前側）に放出された時点の排気ガス温度を十分低下させることができる。
【００２０】
マフラー３０は、上面が仮想線５９のように水平方向よりもやや下向になるようにして、排気ガスＥＸの下流側に行くにつれて排気ガスＥＸが下方向にわずかに向くようにした。特に、マフラー３０の上壁面に沿って流れた排気ガスＥＸが、マフラー３０から離合する付近の角部の形状を、大きな曲率半径Ｒ１を有するように下向に曲がる大きな曲面としたため（曲面部３２ｃ付近）、排気ガスＥＸの一部がマフラー３０の前方側においてさらに下向きに誘導される。ここではメインハウジング２の内壁面の延長線たる仮想線５９と、メインハウジング２のマフラー３０の上側の内壁面の仮想線５８との角度がθ２＝２０度程度に広がるようにしたので、排気ガスＥＸが仮想線１９に到達する時点において十分に拡散し、温度を大幅に低下させることができ、前方側に位置する丸太等の切断対象に影響を及ぼす恐れがない。
【００２１】
図３はマフラー３０の斜視図である。マフラー３０は、シリンダ２１に取り付けるためのネジがマフラー３０の内部空間たる膨張室部分を貫通せずに、完全に外側に位置するような形状である。従って、固定に用いられるネジ（図示せず）の軸線の延長部分に外側ハウジング３２と内側ハウジング３１が干渉しないように屈曲部６２ａ、６２ｃが形成される。外側ハウジング３２と内側ハウジング３１の接合部付近も同様に屈曲部６２ｂとして形成される。マフラー３０の後方側（シリンダ２１に近い側）には、内側ハウジング３１よりも左右方向に突出するように形成された取付部材４０が設けられ、取付部材４０にはネジ穴４２が形成される。図では見えないが、右側部分にも同様の屈曲部が形成され、取付部材４０の右側に突出する部分にはネジ穴が形成される。また、マフラー３０の接合部分の中央上端には、ネジ穴３０ａを形成するためのフランジ部３７が形成され、ネジ穴３０ａを貫通させるためのネジ孔３７ａが形成される。
【００２２】
排気ポート２２ｂに固定するための２つのネジ用のネジ穴４１、４２の中心を結ぶネジ中心線よりも上方側は、ネジの内側の間隔よりも狭い幅Ｗ１となっている。一方、マフラー３０のネジ中心線よりも下方側は、ネジの内側の間隔よりも広い幅Ｗ２になっている。本実施例のエンジン２０のシリンダ２１は、従来のエンジンに比べて排気ポート両側のネジ穴（図示せず）の間隔が広く形成される。しかしながら、この間隔を大きくしすぎると、排気ポート２２ｂの密着性が悪化し、排気漏れの恐れが高くなるため間隔を大きくするには限度がある。そこで本実施例ではマフラー３０のネジ中心線よりも下方側の膨張室を大きく形成して、マフラーとして必要な容積を十分確保しつつもネジ穴４１、４２の間隔を幅Ｗ２よりも狭くすることによって、バランスを取るようにした。また、触媒を内蔵する場合は、ネジ中心線よりも下方側の幅Ｗ２の広い空間内に設けるようにしたので、幅Ｗ１が狭くても触媒３６を効率よく配置することができる。
【００２３】
案内カバー５０は、マフラー３０の外側ハウジング３２の上側壁面の後方寄りに配置されるカバー部材である。案内カバー５０は、排気ガスＥＸを所定の方向に向けて排出するように誘導する機能と、金網部分を含んで形成されたスパークアレスタ４８を保持する機能を奏する。案内カバー５０には左右方向に並べて上側に突状に形成された２つの排気通路５１、５２が形成され、それぞれの排気通路５１、５２の前方側の壁部分が切り落されて開口とされたような排気放出口５１ａ、５２ａが形成される。排気放出口５１ａ、５２ａの開口面は、その開口面の向きが上面視において左右方向に広がるように形成されている。排気放出口５１ａ、５２ａから排出された排気ガスＥＸは、外側ハウジング３２の上壁面にそって前方側に流れる。外側ハウジング３２の上壁面は緩やかなカーブを描く曲面部３２ｃにより平板状に形成される前面部３２ｄに接続される。前面部３２ｄには、複数の補強用のビード３２ｅが縦方向に延びるように複数形成される。
【００２４】
次に図４を用いて排気ガス規制部材たる案内カバー５０の形状を説明する。図４はマフラー３０の案内カバー５０単体の上面図である。案内カバー５０はマフラー３０の上側から見た際に、上壁部分の後側半分程度を覆うような大きさであって、２つの排気通路５１、５２が形成される。案内カバー５０には、排出される排気ガスＥＸと平行方向に延び、外側ハウジング３２の上壁面と平行となる平行面（上面５１ｄ、５２ｄ）と、平行面と交差する方向に延びる２つの側壁面（５１ｂ、５１ｃ、５２ｂ、５２ｃ）と、平行面と側面の後方側を閉鎖する後壁面（後面５１e、５２ｅ）を有する２つの排気通路５１、５２が設けられる。排気通路５１、５２は、外側ハウジング３２の外側壁面に取り付けられることにより、排気ガスＥＸの排出方向を決定する通路となる。排気通路５１の側面のうち、もう一つの排気通路５２と隣接しない側である側面５１ｃに沿った方向が排気ガスＥＸの排出方向となり、排気ガスＥＸは外側ハウジング３２の上壁面に沿って前方側（シリンダ２１の軸方向と略直交方向）に流れる。
【００２５】
案内カバー５０の大きさは外側ハウジング３２の排出口３２ｂ（図３参照）よりも十分大きく、排気通路５１、５２の左右方向の端部位置は排出口３２ｂの左右位置よりも左右外側に位置するように形成される。また、排気通路５１、５２の後方向の端部位置は、排出口３２ｂの後端位置よりも後側になるように形成される。ここで、斜線で示した排気放出口５２ａの前方側には、上面視で略三角形の切抜き部分５２ｆが形成される（排気通路５１側にも同様に形成される）。これはプレス加工を行って排気通路５２を形成する際の加工性をよくするために設けたものであり、この切抜き部分５２ｆの形状は排気ガスＥＸの排出にはほとんど影響しないので、切抜き部分５２ｆを設けるか否かは任意である。排気ガスＥＸの排出方向の決定には、特に斜線によりその開口面を示したような排気放出口５２ａの向き（開口面の法線の向き）が重要であり、ここでは上面視における法線の向きＮが前方から角度θＨだけ左向きになるように形成される。マフラー３０の排気通路５２は、内側側壁面５２ｂの前端部が外側側壁面５２ｃの前端部より排気ガスの排出方向の下流側に位置するように配置されており、なおかつ内側側壁面５２ｂの前端部の下端が外側側壁５２ｃの前端部の上端よりも排気ガスの排出方向の下流側に位置するように配置されている。ここでは排気通路５１側は排気通路５２側と左右対称の形状であるので、排気通路５１側の形状も同様となる。このように案内カバー５０を形成したことにより、排気ガスＥＸの拡散を左右方向に加えて上方向にも行うことができ、より広い範囲で大気との混合を促進し、排気ガス温度を低減可能となった。
【００２６】
２つの排気放出口５１ａ、５２ａの面積の合計は、排気通路の排気ガスの流れに垂直な面における断面積よりも大きくなるように構成されている。また、排気通路の排気ガスの流れに垂直な面における断面積は、排出口３２ｂの面積よりも大きくなるように構成されている。これにより、排気ガスＥＸをより外側へと拡散し、大気との混合を促進することで排気ガス温度を低減でき、なおかつ、排気出口が絞られることによる出力の低下を防ぐことができる。
【００２７】
図５は案内カバー５０の側面図である。この図から開口面たる排気放出口５２ａが、案内カバー５０に対して垂直となっておらず、上下方向にみて後方側に傾斜し、左右方向に見ても斜めに配置されることが理解できるであろう。排気通路５２には、上壁面と平行な平行面５２ｄと、平行面と交差する方向に延びる内側側壁面５２ｂ、５２ｃを有する。排気放出口５２ａの開口面は、隣接する排気放出口に近い側（内側側壁面５２ｂ）の開口縁が隣接しない側（外側側壁面５２ｃ）の開口縁よりも前側（反シリンダ側）に位置するように設けられる。つまり、排気放出口５２ａの法線方向が矢印Ｎのようになり、案内カバー５０の水平面と角度θＶだけ隔てるように構成されるので、排気放出口５２ａから排出される排気ガスは、マフラー３０の上壁面に沿って流れつつ、排気ガスＥＸの流れの下流側に行くにつれてマフラー３０の上側壁面から徐々に離れるように流れる。
【００２８】
次に、図６を用いて本実施例の第一の変形例を説明する。図６は案内カバー６０の上面図であって、案内カバー６０は図３で示した案内カバー５０に替えて取付けられる。二つの排気通路６１、６２は、排気ガスＥＸの流れの下流側に向かって互いに離間するように配置されており、なおかつ、排気放出口６１ａ、６２ａの内側側壁が外側側壁より排気ガスの流れの下流側に位置するように構成されている。これは図４と同様に傾斜角θＨが形成されることを意味する。一方、案内カバー６０の側面から見た際の角度（仰角）θＶは付けられていない（θＶ＝０）。このような構成でも、排気通路は左右方向に適度に拡散する。また、２つの排気通路５１、５２から放出される排気ガスＥＸは、上面視で排気ガスの流れの下流に行くにつれて間隔が広がるので、２つの排気ガスＥＸの流れの間の空間が負圧になり、メインハウジング２に形成された空気取入口１７から外気を吸い込むことができ、外気と排気ガスＥＸとの撹拌が促進される。
【実施例２】
【００２９】
次に本願発明の第二の実施例を説明する。図７は第二の実施例に係るエンジンに用いられるマフラー８０の上面図である。マフラー８０で第一の実施例と違う主な点は案内カバー１００の形状と、取付部材９０の形状である。マフラー８０の本体部分は外側ハウジングの前面のリブの有無と、取付部材９０の形状が異なるだけであって、それ以外の構成は第一の実施例とほぼ同じである。膨張室の外枠となるマフラーハウジングは、仕切板（図示せず）を挟んで内側ハウジング８１と外側ハウジング８２を合わせて形成される。内側ハウジング８１のシリンダ側には取付部材９０が溶接等によって固定される。取付部材９０は逆Ｔの字状の板材で有り、排気ポート２２ｂの開口の外周側覆う部分から上方向と左右方向に延びる延在部分が形成され、それぞれの延在部分にはネジ穴９２、９３ともう一つのネジ穴（図では見えない）が形成される。
【００３０】
外側ハウジング８２の前方側の角部は曲面部８２ｃが形成される。曲面部８２ｃはマフラー８０の上壁面に沿って流れる排気ガスＥＸを下方向に誘導するための傾斜部分であって、その下方の前面壁８２ｄはフラットな形状とされ、第一の実施例のようなリブは形成されていない。マフラー８０においては、シリンダ２１への取り付け部、即ち３カ所のネジ穴を取付部材９０にだけ形成したので、膨張室を形成するマフラーハウジング側の形状が単純となり、製造コストの低減を達成できる。また、排気ポート２２ｂの形状が変わらなければ、第３のネジ位置（ネジ穴９３）が異なるエンジンに対してもマフラー自体の形状を変更すること無く、取付部材９０の形状を変更するだけで取り付けることができるので、マフラーパーツの共通化を容易に図ることができる。
【００３１】
案内カバー１００は１つの排気通路を連結したような横長の形状の凸部１０１が形成され、凸部１０１の前方側排気放出口１０１ａ、１０１ｂの角部が斜めに切り落とされて２つの２つの排気放出口１０１ａ、１０１ｂが形成される。排気放出口１０１ａ、１０１ｂの開口方法は、開口面の法線方向が左右にハの字状に広がるような配置となる。案内カバー１００は外側ハウジング８２に固定されており、スパークアレスタは案内カバー１００と外側ハウジング８２に挟み込んで固定され、ネジ９９によって位置のずれが防止される。
【００３２】
図８は案内カバー１００の上面図である。凸部１０１の前方側には斜めに形成された２つの排気放出口１０１ａ、１０１ｂが、前方側の角部をカットするようにして形成される。排気放出口１０１ａ、１０１ｂの間は、細長い平板状の連結部１０１ｅにて分岐される。これらは金属のプレス加工によって製造できる。排気放出口１０１ａ、１０１ｂの前側には、上面視で三角形の切抜き部分１０２ａ、１０２ｂが形成されるが、この切り抜きは無くても良い。
【００３３】
以上、本発明を実施例に基づいて説明したが、本発明は上述の実施例に限定されるものではなく、その趣旨を逸脱しない範囲内で種々の変更が可能である。例えば、上述の実施例ではエンジンによって駆動される作業機器としてソーチェンを駆動するチェンソーを用いて説明したが、チェンソーだけに限らずにブロア、カッタ、草刈機等の様々な携帯型のエンジン作業機及び汎用のエンジンに適用できる。
【符号の説明】
【００３４】
１  チェンソー      ２  メインハウジング      ２ａ  上側先端部分
３  リヤハンドル      ４ａ  スロットルレバー      ４ｂ  ロックレバー
５  レフトサイドカバー      ６  エアクリーナカバー      ７  固定用ネジ
８  フロントハンドル      ９  ブレーキハンドル      １０  ガイドバー
１１  ソーチェン      １３  スタータハンドル      １４  燃料注入口
１７  空気取入口      １８  取付ネジ      １９  仮想線
２０  エンジン      ２１  シリンダ      ２１ａ  放熱フィン
２１ｂ  円筒空間      ２１ｃ  上端位置      ２２ａ  吸気ポート
２２ｂ  排気ポート      ２３  取付ボス      ２８  プラグ孔      ３０  マフラー
３０ａ  ネジ穴      ３１  内側ハウジング      ３１ａ  外縁部
３２  外側ハウジング      ３２ａ  リブ      ３２ｂ  排出口      ３２ｃ  曲面部
３２ｄ  前面部      ３２ｅ  ビード      ３３  仕切板      ３３ｂ  凹部
３４  第一膨張室      ３５  第二膨張室      ３６  触媒      ３７  フランジ部
３７ａ  ネジ孔      ４０  取付部材      ４１、４２  ネジ穴
４４  ガスケット      ４８  スパークアレスタ      ４９  ネジ
５０  案内カバー      ５１  排気通路      ５１ａ  排気放出口
５１ｂ、５１ｃ  側壁面      ５１ｄ  上面      ５１e  後面
５１ｆ  切抜き部分      ５２  排気通路      ５２ａ  排気放出口
５２ｂ、５２ｃ  側壁面      ５２ｄ  平行面      ５２ｆ  切抜き部分
６０  案内カバー      ６１  排気通路      ６１ａ  排気放出口
６２ａ  屈曲部      ６２ｂ  屈曲部      ８０  マフラー
８１  内側ハウジング      ８２  外側ハウジング      ８２ｃ  曲面部
８２ｄ  前面壁      ９０  取付部材      ９２、９３  ネジ穴
９９  ネジ      １００  案内カバー      １０１  凸部
１０１ａ、１０１ｂ  排気放出口      １０１ｅ  連結部
１０２ａ、１０２ｂ  切抜き部分      ＥＸ  排気ガス
【図１】
2017133490.tif 000003
【図２】
2017133490.tif 000004
【図３】
2017133490.tif 000005
【図４】
2017133490.tif 000006
【図５】
2017133490.tif 000007
【図６】
2017133490.tif 000008
【図７】
2017133490.tif 000009
【図８】
2017133490.tif 000010